【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
構成繊維を集積してなる不織布本体に、結合剤、親水化剤及び／又は油剤並びに酸化アルミニウム、二酸化珪素及び酸化亜鉛を含む無機微粒子を含む分散液を付与して、該構成繊維相互間を該結合剤で結合すると共に、該親水化剤及び／又は該油剤並びに該無機微粒子を該不織布本体に付着させることを特徴とする抗アレルゲン不織布の製造方法。
【請求項２】
無機微粒子が、酸化アルミニウム、二酸化珪素及び酸化亜鉛の混合体又は焼結体である請求項１記載の抗アレルゲン不織布の製造方法。
【請求項３】
無機微粒子中の酸化アルミニウム、二酸化珪素及び酸化亜鉛の組成が、モル比で、酸化アルミニウム：二酸化珪素：酸化亜鉛＝１：１０〜２０：１０〜２０である請求項１記載の抗アレルゲン不織布の製造方法。
【請求項４】
抗アレルゲンが抗ダニアレルゲンである請求項１記載の抗アレルゲン不織布の製造方法。
【手続補正２】
【補正対象書類名】明細書
【補正対象項目名】発明の名称
【補正方法】変更
【補正の内容】
【発明の名称】抗アレルゲン不織布の製造方法
【手続補正３】
【補正対象書類名】明細書
【補正対象項目名】０００１
【補正方法】変更
【補正の内容】
【０００１】
本発明は、主としてダニアレルゲンを低減化しうる抗アレルゲン不織布の製造方法に関するものである。
【手続補正４】
【補正対象書類名】明細書
【補正対象項目名】０００５
【補正方法】変更
【補正の内容】
【０００５】
本発明は、特許文献１記載の粘土鉱物とは異なる無機微粒子を抗アレルゲン物質として採用することにより、上記課題を解決したものである。すなわち、本発明は、構成繊維を集積してなる不織布本体に、結合剤、親水化剤及び／又は油剤並びに酸化アルミニウム、二酸化珪素及び酸化亜鉛を含む無機微粒子を含む分散液を付与して、該構成繊維相互間を該結合剤で結合すると共に、該親水化剤及び／又は該油剤並びに該無機微粒子を該不織布本体に付着させることを特徴とする抗アレルゲン不織布の製造方法に関するものである。
【手続補正５】
【補正対象書類名】明細書
【補正対象項目名】０００６
【補正方法】変更
【補正の内容】
【０００６】
無機微粒子を付着させる不織布本体としては、従来公知のスパンボンド不織布、ニードルパンチ不織布又はスパンレース不織布等が採用される。不織布本体がスパンボンド不織布の場合は、溶融紡糸した長繊維を構成繊維として集積した繊維ウェブに、熱エンボス加工を施し、構成繊維相互間を融着させて得ることができる。また、ニードルパンチ不織布の場合は、繊維ウェブにニードルパンチを施して、構成繊維相互間を絡合させて得ることができる。スパンレース不織布の場合は、繊維ウェブに高圧水流を施して、構成繊維相互間を絡合することにより得ることができる。また、ニードルパンチ、熱エンボス加工及び高圧水流処理を任意に組み合わせて不織布本体を得ることもできる。不織布本体の目付は任意であるが、タフトカーペット用一次基布として用いる場合は、一般的に５０〜２００ｇ／ｍ2程度である。
【手続補正６】
【補正対象書類名】明細書
【補正対象項目名】０００８
【補正方法】変更
【補正の内容】
【０００８】
無機微粒子を不織布本体に付着させるには、結合剤を用いて付着させる。この結合剤としては、不織布本体の構成繊維相互間を結合するための結合剤と同一のものを採用する。同一の結合剤を採用すると、構成繊維相互間の結合と無機微粒子の付着とが同時に行えるからである。かかる結合剤としては、従来公知のものが採用されるが、アクリル酸エステル系結合剤又はＮＢＲやＳＢＲ等のゴム系結合剤等が用いられる。結合剤は、無機微粒子が分散している分散液中に含有させておき、無機微粒子と共に不織布本体に付与する。分散液中に結合剤を含有させる場合、結合剤の含有量は無機微粒子の含有量と同程度であるのが好ましい。結合剤の含有量が無機微粒子の含有量に比べて少なすぎると、無機微粒子を不織布本体に付着させにくくなる。また、結合剤の含有量が無機微粒子の含有量に比べて多すぎると、結合剤が無機微粒子を完全に被覆して、アレルゲンが無機微粒子と反応しにくくなる。
【手続補正７】
【補正対象書類名】明細書
【補正対象項目名】０００９
【補正方法】変更
【補正の内容】
【０００９】
分散液中には、さらに親水化剤及び／又は油剤を含有させておき、無機微粒子と共に不織布本体に付着させる。親水化剤は、無機微粒子が抗アレルゲン効果を奏するのに有効である。すなわち、親水化剤により水分が吸着され、水分の介在によってアレルゲンが無機微粒子と反応しやくなるのである。親水化剤としては、各種の界面活性剤を用いることができ、具体的には、ポリオキシアルキレンアルキルエーテル系ノニオン界面活性剤やスルホコハク酸系アニオン界面活性剤等が用いられる。分散液中の親水化剤の含有量は若干量であればよく、たとえば、１重量％以下でよい。
【手続補正８】
【補正対象書類名】明細書
【補正対象項目名】００１０
【補正方法】変更
【補正の内容】
【００１０】
油剤としては、従来公知の繊維油剤を用いることができ、たとえば、シリコーンオイル系や脂肪酸エステル系の合成潤滑油を用いることができる。油剤を無機微粒子と共に繊維本体に付着させることにより、得られた抗アレルゲン不織布にタフティング機の針を貫通させやすくなるのである。すなわち、本発明に係る抗アレルゲン不織布を、タフトカーペット用一次基布の用途に用いる場合、タフティング機の針が抗アレルゲン不織布に通されパイル糸が埋め込まれるのであり、この際、油剤が抗アレルゲン不織布中に存在すると、無機微粒子があっても針を通しやすくなるのである。分散液中における油剤の含有量も、無機微粒子の含有量と同程度であるのが好ましい。油剤の含有量が無機微粒子の含有量に比べて少なすぎると、タフティング機の針が通しにくくなる。また、油剤の含有量が無機微粒子の含有量に比べて多すぎると、油剤の撥水性により、アレルゲンが無機微粒子と反応しにくくなる。
【手続補正９】
【補正対象書類名】明細書
【補正対象項目名】００１１
【補正方法】変更
【補正の内容】
【００１１】
結合剤、親水化剤及び／又は油剤は、上記したように、無機微粒子の分散液中に含有させて不織布本体に付着させる。さらに、本発明に係る方法で得られた抗アレルゲン不織布に、所望により、消臭剤、抗菌剤、防ダニ剤又は抗ウイルス剤等を、別途付着させてもよい。
【手続補正１０】
【補正対象書類名】明細書
【補正対象項目名】００１２
【補正方法】変更
【補正の内容】
【００１２】
本発明に係る方法で得られた抗アレルゲン不織布は、種々の用途に用いられるが、上記したタフトカーペット用一次基布として用いるのが好ましい。本発明で用いる無機微粒子はダニアレルゲンに対する反応性が高く、ダニアレルゲンが堆積しやすい、カーペットの材料に適しているからである。なお、本発明で用いる無機微粒子がダニアレルゲンに対して高い反応性を有しているので、その他の各種繊維製品本体に付着して、抗アレルゲン繊維製品を得ることもできる。
【手続補正１１】
【補正対象書類名】明細書
【補正対象項目名】００１３
【補正方法】変更
【補正の内容】
【００１３】
本発明に係る方法で得られた抗アレルゲン不織布には、酸化アルミニウム、二酸化珪素及び酸化亜鉛を含む無機微粒子が付着している。そして、この無機微粒子はダニアレルゲン等のアレルゲンに対して高い反応性を有しているため、アレルゲンと反応して、それを不活性化させる。したがって、本発明に係る方法で得られた抗アレルゲン不織布が、たとえば、室内や自動車等のカーペットの材料として用いられていると、室内の居住者や自動車の使用者等がアレルギー疾患を発症しにくいという効果を奏する。また、本発明で用いる無機微粒子は、消臭効果、抗菌効果、抗カビ効果及び抗ウイルス効果等も、ある程度併有しているので、これらの効果も奏しうる。